(57)【要約】【課題】  プラスチック素材以外の素材により形成されたカードであっても、カードコネクタの機能が不能になる問題を排除する。【解決手段】  カードを挿入可能なハウジング２と、このハウジング２の内部に、挿入されたカードに係合して変位可能な一端側に設けた係合変位部３ａｗ…，３ｂｗ…及びこの係合変位部３ａｗ…，３ｂｗ…の変位により、最挿入位置Ｘｉのカードに備える平面接続部に当接してデータの授受を可能にする接続変位部３ａｘ…，３ｂｘ…を有する弾性導電性素材により形成した複数の接続コンタクト３ａ…，３ｂ…を備え、導電性を有するカード１００の挿入時に、各接続コンタクト３ａ…及び３ｂ…の係合変位部３ａｗ…及び３ｂｗ…の表面を覆うことにより、当該各係合変位部３ａｗ…，３ｂｗ…とカード１００間における接触部位の電気的絶縁を行う電気的絶縁手段４を設ける。【選択図】  図１
2019040835.tif 000002
【特許請求の範囲】
【請求項１】
カードを挿入可能なハウジングと、このハウジングの内部に、挿入されたカードに係合して変位可能な一端側に設けた係合変位部及びこの係合変位部の変位により、最挿入位置のカードに備える平面接続部に当接してデータの授受を可能にする接続変位部を有する弾性導電性素材により形成した複数の接続コンタクトを備えるカードコネクタであって、導電性を有するカードの挿入時に、前記複数の接続コンタクトの各係合変位部の表面を覆うことにより、当該各係合変位部と前記カード間における接触部位の電気的絶縁を行う電気的絶縁手段を設けたことを特徴とするカードコネクタ。
【請求項２】
前記電気的絶縁手段は、前記ハウジングの内部に貼着することにより、前記各接続コンタクトと前記カード間に介在させる一枚の絶縁シートにより構成することを特徴とする請求項１記載のカードコネクタ。
【請求項３】
前記絶縁シートは、裏面の一部又は全部に接着層を有し、かつ表面の動摩擦係数を０．３以下に選定したポリエチレンフィルムを用いることを特徴とする請求項２記載のカードコネクタ。
【請求項４】
前記絶縁シートは、前記各接続コンタクトを覆う絶縁本体面部と、この絶縁本体面部から複数の方向に延設して形成した複数の接着面部を備えることを特徴とする請求項２又は３記載のカードコネクタ。
【請求項５】
前記絶縁シートは、前記絶縁本体面部と前記各接着面部間における複数の角度形成部位の少なくとも一部を、Ｒ形状に形成してなることを特徴とする請求項４記載のカードコネクタ。
【請求項６】
前記複数の接着面部は、少なくとも一つ以上を前記ハウジングの外面まで回り込み可能な長さに選定してなることを特徴とする請求項４又は５記載のカードコネクタ。
【請求項７】
前記接続コンタクトは、導電性素材を用いた細長いバネ材を使用し、このバネ材の一端側に形成した係合変位部と、前記バネ材の中間位置をＶ状に折曲して形成した中間支点部と、この中間支点部に対して他端側に形成した接続変位部と、この接続変位部から湾曲させることにより延出形成した接続端子部とを有してなることを特徴とする請求項１記載のカードコネクタ。
【発明の詳細な説明】
【技術分野】
【０００１】
本発明は、挿入されたＩＣカード等の各種カードに対してデータの授受を行う際に用いて好適なカードコネクタに関する。
【背景技術】
【０００２】
一般に、ＩＣカード等の各種カードに対してデータの授受を行うカードコネクタは、様々なタイプが普及しているが、特に、接触接続タイプのカードコネクタとしては、特許文献１で開示されるＩＣカード用コネクタが知られている。
【０００３】
このＩＣカード用コネクタは、部材間の摩耗を低減するとともに、部品点数を減らすことを目的としたものであり、具体的には、コンタクトが固定部と、連結部と、Ｖ字腕部とを有し、Ｖ字腕部は、基部から延びた第１腕部と第２腕部とを備え、この基部は、コネクタハウジングに当接して下方への変位が拘束され、第１腕部先端の接触部は、カード受容空間の下方に位置し、かつ、第２腕部先端の押圧部は、カード受容空間内に位置する構成を備えるものであり、これにより、ＩＣカードを受容空間に挿入すると、ＩＣカードの先端部は受容空間内で押圧部に当接接触してこれを下方に押し下げ、Ｖ字腕部は基部を支点に揺動されて接触部を上方へ押し上げ、ＩＣカードのコネクタパターンに当接接触させることができる。
【先行技術文献】
【特許文献】
【０００４】
【特許文献１】特開２０００−１６４２７１号公報
【発明の概要】
【発明が解決しようとする課題】
【０００５】
しかし、上述した特許文献１に開示される従来のＩＣカード用コネクタは、次のような解決すべき課題も存在した。
【０００６】
即ち、上述したＩＣカード用コネクタの構成は、ＩＣカードがプラスチック素材により形成されていることを前提とし、プラスチック素材以外の素材により形成されるＩＣカードについては想定していない。一方、ＩＣカードの高級感や品質感を高めることを目的とするなど、近時、様々な素材を用いたＩＣカードも実用化されるに至っている。
【０００７】
したがって、上述した従来のＩＣカード用コネクタの構造では、プラスチック素材以外の素材、特に、金属材等の導電性を有する素材により形成されたＩＣカードが使用された場合、各コンタクトにおける第２腕部先端の押圧部がＩＣカードに当接した際に、各コンタクト間が短絡状態になる虞れがある。図５（ｂ）は、カード１００の外面に、複数のコンタクト３ａ…，３ｂ…が当接接触した状態を示しているが、このカード１００が導電性を有する素材により形成されている場合、各コンタクト３ａ…，３ｂ…間は、矢印Ｆｓ…で示すように、カード１００を通して短絡状態になり、実質的にＩＣカード用コネクタの機能が不能になる虞れがある。
【０００８】
本発明は、このような背景技術に存在する課題を解決したカードコネクタの提供を目的とするものである。
【課題を解決するための手段】
【０００９】
本発明は、上述した課題を解決するため、カードを挿入可能なハウジング２と、このハウジング２の内部に、挿入されたカードに係合して変位可能な一端側に設けた係合変位部３ａｗ…，３ｂｗ…及びこの係合変位部３ａｗ…，３ｂｗ…の変位により、最挿入位置Ｘｉのカードに備える平面接続部に当接してデータの授受を可能にする接続変位部３ａｘ…，３ｂｘ…を有する弾性導電性素材により形成した複数の接続コンタクト３ａ…，３ｂ…を備えるカードコネクタ１を構成するに際して、導電性を有するカード１００の挿入時に、各接続コンタクト３ａ…及び３ｂ…の係合変位部３ａｗ…及び３ｂｗ…の表面を覆うことにより、当該各係合変位部３ａｗ…及び３ｂｗ…とカード１００間における接触部位の電気的絶縁を行う電気的絶縁手段４を設けたことを特徴とする。
【００１０】
この場合、発明の好適な態様により、電気的絶縁手段４は、ハウジング２の内部に貼着することにより、各接続コンタクト３ａ…及び３ｂ…とカード１００間に介在させる一枚の絶縁シート１１により構成することができ、特に、この絶縁シート１１には、裏面の一部又は全部に接着層１２を有し、かつ表面の動摩擦係数を０．３以下に選定したポリエチレンフィルムＲｐを用いることが望ましい。なお、この絶縁シート１１は、各接続コンタクト３ａ…及び３ｂ…を覆う絶縁本体面部１１ｍと、この絶縁本体面部１１ｍから複数の方向に延設して形成した複数の接着面部１１ａ，１１ｂ，１１ｃ…を備えて構成できる。また、この絶縁シート１１における絶縁本体面部１１ｍと各接着面部１１ａ…間における複数の角度形成部位の少なくとも一部１１ｒ…は、Ｒ形状に形成できるとともに、各接着面部１１ｃ…は、少なくとも一つ以上をハウジング２の外面２ｏまで回り込み可能な長さＬｓに選定することができる。一方、接続コンタクト３ａ…，３ｂ…は、導電性素材を用いた細長いバネ材を使用し、このバネ材の一端側に形成した係合変位部３ａｗ…，３ｂｗ…と、バネ材の中間位置をＶ状に折曲して形成した中間支点部３ａｙ…，３ｂｙ…と、この中間支点部３ａｙ…，３ｂｙ…に対して他端側に形成した接続変位部３ａｘ…，３ｂｘ…と、この接続変位部３ａｘ…，３ｂｘ…から湾曲させることにより延出形成した接続端子部３ａｚ…，３ｂｚ…とを備えて構成できる。
【発明の効果】
【００１１】
このような構成を有する本発明に係るカードコネクタ１によれば、次のような顕著な効果を奏する。
【００１２】
（１）  プラスチック素材により形成された通常のカードに加え、金属材を含む他の各種素材により形成されたカード１００であっても、各接続コンタクト３ａ…及び３ｂ…の係合変位部３ａｗ…及び３ｂｗ…の表面を覆う電気的絶縁手段４を設けたため、各係合変位部３ａｗ…及び３ｂｗ…とカード１００間における接触部位の電気的絶縁を行うことができる。これにより、各接続コンタクト３ａ…及び３ｂ…における係合変位部３ａｗ…及び３ｂｗ…がカード１００に係合接触した場合であっても、各接続コンタクト３ａ…及び３ｂ…間が短絡状態になる虞れが無くなり、もって、カードコネクタ１の機能が不能になる問題を有効に解消することができる。
【００１３】
（２）  好適な態様により、電気的絶縁手段４を構成するに際し、ハウジング２の内部に貼着することにより、各接続コンタクト３ａ…及び３ｂ…とカード１００間に介在させる一枚の絶縁シート１１により構成すれば、既存のカードコネクタにおける構造にそのまま適用できるため、後付けなどにより容易に実施できるとともに、低コストに実施することができる。
【００１４】
（３）  好適な態様により、絶縁シート１１に、裏面の一部又は全部に接着層１２を有し、かつ表面の動摩擦係数を０．３以下に選定したポリエチレンフィルムＲｐを用いれば、カード１００に対する動摩擦をより小さくできるため、比較的薄い絶縁シート１１を用いた場合であっても、十分な耐久性を確保できるとともに、カード１００の挿入時及び引出時におけるスムースな使用感を維持できるなど、最適な形態（態様）として実施することができる。
【００１５】
（４）  好適な態様により、絶縁シート１１を構成するに際し、各接続コンタクト３ａ…及び３ｂ…を覆う絶縁本体面部１１ｍと、この絶縁本体面部１１ｍから複数の方向に延設して形成した複数の接着面部１１ａ，１１ｂ，１１ｃ…を備えて構成すれば、より確実に接着できるため、絶縁本体面部１１ｍを定位置に安定に固定することができる。
【００１６】
（５）  好適な態様により、絶縁シート１１を構成するに際し、絶縁本体面部１１ｍと各接着面部１１ａ…間における複数の角度形成部位の少なくとも一部１１ｒ…を、Ｒ形状に形成すれば、使用時における応力が作用した場合であっても、角度形成部位における破れ等を防止できるため、耐久性をより高めることができるとともに、絶縁本体面部１１ｍによる確実な絶縁性を維持することができる。
【００１７】
（６）  好適な態様により、各接着面部１１ｃ…を構成するに際し、少なくとも一つ以上をハウジング２の外面２ｏまで回り込み可能な長さＬｓに選定すれば、少なくとも一つ以上の接着面部１１ｃ…を、より確実に固定できるため、絶縁本体面部１１ｍの位置を安定に維持できるとともに、無用な剥離や位置ズレ等の不具合を確実に防止することができる。
【００１８】
（７）  好適な態様により、接続コンタクト３ａ…，３ｂ…を構成するに際し、導電性素材を用いた細長いバネ材を使用し、このバネ材の一端側に形成した係合変位部３ａｗ…，３ｂｗ…と、バネ材の中間位置をＶ状に折曲して形成した中間支点部３ａｙ…，３ｂｙ…と、この中間支点部３ａｙ…，３ｂｙ…に対して他端側に形成した接続変位部３ａｘ…，３ｂｘ…と、この接続変位部３ａｘ…，３ｂｘ…から湾曲させることにより延出形成した接続端子部３ａｚ…，３ｂｚ…とを備えて構成すれば、従来における実際の製品構造に適用できるため、その製品構造において実際に生じる虞れがある問題点を有効に解消することができる。
【図面の簡単な説明】
【００１９】
【図１】本発明の好適実施形態に係るカードコネクタの一部破断部分を含む内部構造の平面図、
【図２】同カードコネクタに使用する絶縁シートの平面図、
【図３】同カードコネクタの図１中Ａ−Ａ線における断面側面図、
【図４】同カードコネクタの図３中Ｂ−Ｂ線における断面背面図、
【図５】同カードコネクタの図３中Ｃ−Ｃ線における断面背面図、
【図６】同カードコネクタの接続コンタクトの絶縁シートを含む係合変位部の断面側面図、
【図７】同カードコネクタの図１中Ｄ−Ｄ線における絶縁シートの断面側面図、
【図８】同カードコネクタに使用する絶縁シートに用いるフィルムとナイロンフィルムを対比した動摩擦係数特性図及び砂摩耗指数特性図、
【図９】同カードコネクタにおける第一接続コンタクトにカードが係合する前の状態を示す断面側面図、
【図１０】同カードコネクタにおける第一接続コンタクトに対するカードの最挿入位置の状態を示す断面側面図、
【図１１】同カードコネクタにおける第二接続コンタクトにカードが係合する前の状態を示す断面側面図、
【図１２】同カードコネクタにおける第二接続コンタクトに対するカードの最挿入位置の状態を示す断面側面図、
【発明を実施するための形態】
【００２０】
次に、本発明に係る好適実施形態を挙げ、図面に基づき詳細に説明する。
【００２１】
まず、本実施形態に係るカードコネクタ１の基本構成について、図１〜図５（図１０，図１２）を参照して説明する。
【００２２】
カードコネクタ１は、図１（図３）に示すハウジング２を備え、このハウジング２は、プラスチック素材により全体を偏平な直方体状に構成するとともに、正面部位には、カード１００を挿入可能なカード出入口２１を有する。図１は、平面方向から見たカードコネクタ１の内部構造を示しており、カード出入口２１は、同図における下端位置となる。なお、例示のカード１００はＩＣカードであり、カード１００の下面には平面接続部１００ａ，１００ｂ（図１０及び図１２参照）を備えている。
【００２３】
また、ハウジング２の内部であって、挿入されたカード１００の平面接続部１００ａ，１００ｂに対応する位置には、コンタクト配設部２２を設け、このコンタクト配設部２２には、複数（例示は、八つ）の接続コンタクト３ａ…，３ｂ…を配設する。例示の接続コンタクト３ａ…，３ｂ…には、四つの第一接続コンタクト３ａ…と四つの第二接続コンタクト３ｂ…を含み、第一接続コンタクト３ａ…と第二接続コンタクト３ｂ…はそれぞれ交互に配設するとともに、第一接続コンタクト３ａ…に備える接続端子部３ａｚ…と第二接続コンタクト３ｂ…に備える接続端子部３ｂｚ…はそれぞれ導出方向が反対となる。
【００２４】
第一接続コンタクト３ａは、図１，図３及び図９に示すように、導電性素材を用いた細長いバネ材を使用し、このバネ材を折曲形成又は湾曲形成することにより、一端側に形成した係合変位部３ａｗと、バネ材の中間位置をＶ状に折曲した中間支点部３ａｙと、この中間支点部３ａｙに対して他端側に形成した接続変位部３ａｘと、この接続変位部３ａｘから湾曲させることにより延出させた接続端子部３ａｚとを設ける。したがって、第一接続コンタクト３ａは、一回の折り返し（湾曲）により形成するため、係合変位部３ａｗと接続端子部３ａｚはそれぞれ同一方向の一端側に位置する。
【００２５】
第二接続コンタクト３ｂは、図１，図３及び図１１に示すように、導電性素材を用いた細長いバネ材を使用し、このバネ材を折曲形成又は湾曲形成することにより、一端側に形成した係合変位部３ｂｗと、バネ材の中間位置をＶ状に折曲した中間支点部３ｂｙと、この中間支点部３ｂｙに対して他端側に形成した接続変位部３ｂｘと、この接続変位部３ｂｘから二回の湾曲部を経て延出させた接続端子部３ｂｚとを設ける。したがって、第二接続コンタクト３ｂは、二回の折り返し（湾曲）により形成するため、一端側に位置する係合変位部３ｂｗに対して、接続端子部３ｂｚは反対方向の他端側に位置する。
【００２６】
このように、各接続コンタクト３ａ…，３ｂ…を構成するに際し、導電性素材を用いた細長いバネ材を使用することにより、このバネ材の一端側に形成した係合変位部３ａｗ…，３ｂｗ…と、バネ材の中間位置をＶ状に折曲して形成した中間支点部３ａｙ…，３ｂｙ…と、この中間支点部３ａｙ…，３ｂｙ…に対して他端側に形成した接続変位部３ａｘ…，３ｂｘ…と、この接続変位部３ａｘ…，３ｂｘ…から湾曲させることにより延出形成した接続端子部３ａｚ…，３ｂｚ…とを設けて構成すれば、従来における実際の製品構造に適用できるため、その製品構造において実際に生じる虞れがある問題点を有効に解消できる利点がある。
【００２７】
一方、コンタクト配設部２２は、図１〜図４に示すように、ハウジング２の底板部２ｄの内面における左右方向の中間部位に、段差を介して所定高さの台状に形成するとともに、平坦に形成した上面２２ｕに、四つの第一取付スリット２３ａ…と四つの第二取付スリット２３ｂ…を形成する。第一取付スリット２３ａ…と第二取付スリット２３ｂ…は、左右方向に沿って交互に形成するとともに、それぞれ一定間隔おきに配列形成する。
【００２８】
そして、第一取付スリット２３ａ…の内部には、第一接続コンタクト３ａ…を収容し、接続端子部３ａｚ…を最下部に位置するスリット底部２３ａｄ…に固定する。これにより、接続端子部３ａｚ…は、図１及び図３に示すように、ハウジング２の背板部２ｒに設けた開口部２ｒｏから外部に露出するため、外部の処理回路等に接続することができる。さらに、図３及び図４に示すように、第一取付スリット２３ａ…の上下方向における中間位置には段差による中間支持部２３ａｍ…を形成する。これにより、中間支持部２３ａｍ…の上方が幅広形成されるため、第一接続コンタクト３ａ…における広幅形成した中間支点部３ａｙ…が中間支持部２３ａｍ…により支持される。この結果、第一接続コンタクト３ａ…における接続端子部３ａｚ…及び中間支点部３ａｙ…以外の部位は、少なくとも上下方向へ弾性変位可能に支持される。
【００２９】
また、第二取付スリット２３ｂ…の内部には、第二接続コンタクト３ｂ…を収容し、接続端子部３ｂｚ…を最下部に位置するスリット底部２３ｂｄ…（図３参照）に固定する。これにより、接続端子部３ｂｚ…は、図１に示すように、ハウジング２の正面側、即ち、カード出入口２１に設けた凹状切欠部２ｆから外部に露出するため、外部の処理回路等に接続することができる。さらに、図３及び図４に示すように、第二取付スリット２３ｂ…の上下方向における中間位置には段差による中間支持部２３ｂｍ…を形成する。これにより、中間支持部２３ｂｍ…の上方が幅広形成されるため、第二接続コンタクト３ｂ…における広幅形成した中間支点部３ｂｙ…が中間支持部２３ｂｍ…により支持される。この結果、第二接続コンタクト３ｂ…における接続端子部３ｂｚ…及び中間支点部３ｂｙ…以外の部位は、少なくとも上下方向へ弾性変位可能に支持される。
【００３０】
この場合、各接続コンタクト３ａ…，３ｂ…における係合変位部３ａｗ…，３ｂｗ…は、いずれもハウジング２内に挿入されたカード１００の先端側に係合して変位する機能を有するため、各係合変位部３ａｗ…，３ｂｗ…は、図１に示すように、ハウジング２の背面付近の内側に、左右方向に沿って配列させる。その他、コンタクト配設部２２における左右端部位は、広幅形成することにより、カード出入口２１から挿入されるカード１００の下面位置を規制するガイド部２５，２６として機能させる。なお、図３に示すように、ハウジング２の天板部２ｕの内面（下面）はカード１００の上面の位置を規制する機能を兼用するとともに、ハウジング２の左右の側板部２ｐ，２ｑはカード１００の左右位置を規制する機能を兼用し、さらに、ハウジング２の背板部２ｒの内面はカード１００を最挿入位置Ｘｉに規制する機能を兼用する。
【００３１】
以上の構成が本実施形態に係るカードコネクタ１の基本構成となる。このカードコネクタ１の基本的な機能は後述するが、基本構成のみの場合、前述したように、次のような不具合を生じる虞れがある。即ち、カード１００をカード出入口２１から差し込み、最挿入位置Ｘｉまで挿入した場合、最挿入位置Ｘｉに至る途中において、図５（ｂ）に示すように、カード１００の先端及びその近傍の下面に、八つの係合変位部３ａｗ…，３ｂｗ…が同時に係合する。したがって、使用されるカード１００の素材がプラスチック素材である限りにおいては特に問題を生じることはないが、カード１００の多様化により、プラスチック素材以外の素材、特に、金属材等の導電性を有する素材により形成されたカード１００が使用された場合、各コンタクト３ａ…及び３ｂ…間は、矢印Ｆｓ…で示すように、カード１００を通して短絡状態になる虞れがある。
【００３２】
そこで、本実施形態に係るカードコネクタ１は、要部構成として、導電性を有する素材により形成されたカード１００が挿入された場合であっても、各接続コンタクト３ａ…，３ｂ…における係合変位部３ａｗ…，３ｂｗ…の表面を覆うことにより各係合変位部３ａｗ…，３ｂｗ…とカード１００間における接触部位の電気的絶縁を行う電気的絶縁手段４を設けたものである。
【００３３】
次に、本実施形態に係るカードコネクタ１における要部構成について、図１〜図８を参照して具体的に説明する。
【００３４】
図２に、本実施形態に係るカードコネクタ１に備える電気的絶縁手段４を構成する絶縁シート１１を示す。この絶縁シート１１は、一枚のシート材を、図２に示すパターン形状にカッティングすることにより容易に製作できるとともに、図１に、一部を破断して示した絶縁シート１１のように、ハウジング２の底板部２ｄの内面（上面）に貼付ければ、各接続コンタクト３ａ…，３ｂ…とカード１００間に介在させることができため、容易に使用することができる。このように、電気的絶縁手段４を構成するに際し、ハウジング２の内部に貼着することにより、各接続コンタクト３ａ…及び３ｂ…とカード１００間に介在させる一枚の絶縁シート１１により構成すれば、既存のカードコネクタにおける構造にそのまま適用できるため、後付けなどにより容易に実施できるとともに、低コストに実施できる利点がある。
【００３５】
このような絶縁シート１１としては、図６（ａ）に示すように、裏面の一部又は全部に接着層１２を有し、かつ表面の動摩擦係数を０．３以下に選定したポリエチレンフィルムＲｐを用いることが望ましく、一例として、「スリーエムジャパン株式会社製の３Ｍ超高分子量ポリエチレンテープＮｏ．５４２０」（以下、実施形態シート）を使用することができる。この実施形態シートは、フィルム厚が０．０５〔ｍｍ〕であり、接着層１２を加えた総厚は０．０９〔ｍｍ〕である。なお、接着層１２はアクリル系粘着剤である。また、引張強さは１６〔Ｎ／ｃｍ〕、接着力は３．３〔Ｎ／ｃｍ〕であり、特に、折り曲げ接着に対する追従性に優れた特性を有している。
【００３６】
図８（ａ）は、製造元より公表されている「実施形態シート」と「ナイロンフィルム（対照例）」を対比した動摩擦係数特性を示す。この動摩擦係数特性は、無潤滑状態におけるＡＳＴＭＤ１８９４−６３準拠に基づく試験データに基づくものである。この動摩擦係数特性から明らかなように、使用した実施形態シートの動摩擦係数は、０．１０〜０．２３の範囲にあり、ナイロンフィルムに対して格段に優れた動摩擦係数を有している。また、同図（ｂ）は、製造元より公表されている「実施形態シート」と「ナイロンフィルム（対照例）」を対比した砂摩耗指数特性を示す。なお、砂摩耗指数の試験方法は、スラリーとして、水１：砂１を使用し、回転速度は１７５０ｒｐｍ、試験時間は７．５時間である。この砂摩耗指数特性から明らかなように、使用した実施形態シートは、ナイロンフィルムに対しても格段に優れた砂摩耗指数を有している。
【００３７】
このように、絶縁シート１１として、裏面に接着層１２を有し、かつ表面の動摩擦係数を０．３以下に選定したポリエチレンフィルムＲｐを用いれば、カード１００に対する動摩擦を小さくできるため、比較的薄い絶縁シート１１を用いた場合であっても、十分な耐久性を確保できるとともに、カード１００の挿入時及び引出時におけるスムースな使用感を維持できるなど、最適な形態（態様）として実施できる。特に、使用した実施形態シートは、フィルム厚が０．０５〔ｍｍ〕の薄手タイプであり、しかも、強い接着力を有するため、ハウジング２の底板部２ｄの内面（上面）に貼付けた場合であっても、カード１００の進行及び退出を妨げるなどの不具合は生じない。
【００３８】
また、使用する絶縁シート１１は、各接続コンタクト３ａ…及び３ｂ…を覆う絶縁本体面部１１ｍと、この絶縁本体面部１１ｍから複数の方向に延設して形成した複数の接着面部１１ａ，１１ｂ，１１ｃ…を備えて構成する。例示の場合、延設する方向は、左右方向と正面方向の三方向であり、特に、左右方向の接着面部１１ａ，１１ｂは、より面積を大きくした接着本体部１１ａｊ，１１ｂｊを有し、この接着本体部１１ａｊ，１１ｂｊと絶縁本体面部１１ｍは比較的幅の狭い連結部１１ａｒ，１１ｂｒにより連結した形状を有している。絶縁シート１１をこのように構成すれば、より確実に接着できるため、絶縁本体面部１１ｍを定位置に安定に固定できる利点がある。
【００３９】
さらに、この場合、絶縁本体面部１１ｍと各接着面部１１ａ…間における複数の角度形成部位の少なくとも一部１１ｒ…は、Ｒ形状に形成する。実施形態では、図２に示すように、使用時における応力が一番作用しやすい絶縁本体面部１１ｍと接着面部１１ｃ間における直角交差部位の一個所に形成した場合を例示する。このようなＲ形状を設ければ、使用時における応力が作用した場合であっても、角度形成部位における破れ等を防止できるため、耐久性をより高めることができるとともに、絶縁本体面部１１ｍによる確実な絶縁性を維持できる利点がある。
【００４０】
加えて、各接着面部１１ｃ…の少なくとも一つ以上は、ハウジング２の外面２ｏまで回り込み可能な長さＬｓに選定する。実施形態では、図２に示すように、接着面部１１ｃに適用した場合を例示する。例示の場合、図７に示すように、接着面部１１ｃは、ガイド部２５の上面に貼付けた後、ハウジング２の底板部２ｄの下面に至る外面２ｏまで回り込ませている。このように形成すれば、少なくとも一つ以上の接着面部１１ｃ…を、より確実に固定できるため、絶縁本体面部１１ｍの位置を安定に維持できるとともに、無用な剥離や位置ズレ等の不具合を確実に防止できる。特に、回り込ませることにより、貼付面積を大きくできるのみならず、異なる角度にわたって貼付けできるとともに、他の組付部材Ｍａ，Ｍｂにより挟むことが可能になるため、更なる固定強度と外的保護にも寄与することができる。
【００４１】
次に、本実施形態に係るカードコネクタ１の使用方法及び各部の機能（作用）について、図１〜図１２を参照して説明する。
【００４２】
まず、非使用時のカードコネクタ１における各接続コンタクト３ａ…，３ｂ…は、図３に示すように、各接続変位部３ａｘ…，３ｂｘ…はガイド部２５，２６の上面（コンタクト配設部２２の上面２２ｕ）よりも下方、即ち、各取付スリット２３ａ…，２３ｂ…の内部に位置するとともに、各係合変位部３ａｗ…，３ｂｗ…はガイド部２５，２６の上面よりも上方に突出、即ち、各取付スリット２３ａ…，２３ｂ…から上方に露出している。
【００４３】
今、この状態のカードコネクタ１に対してカード１００を挿入して使用する場合を想定する。この場合、カード１００を、図１に示すように、矢印Ｆｉ方向からカード出入口２１に差込むとともに、ハウジング２の内部に挿入すれば、図９及び図１１に示すように、第一接続コンタクト３ａ…及び第二接続コンタクト３ｂ…における係合変位部３ａｗ…，３ｂｗ…に到達するまでは、第一接続コンタクト３ａ…及び第二接続コンタクト３ｂ…に接触（圧接）することなくそのまま挿入することができる。したがって、カード１００の外面に対する第一接続コンタクト３ａ…及び第二接続コンタクト３ｂ…の当接（圧接）による擦れや汚れ等の弊害は生じない。
【００４４】
更にカード１００を挿入すれば、カード１００の先端が各係合変位部３ａｗ…，３ｂｗ…に当接し、この後、各係合変位部３ａｗ…，３ｂｗ…はカード１００により押下げられる。そして、カード１００が、図１０及び図１２に示す最挿入位置Ｘｉに到達すれば、各係合変位部３ａｗ…，３ｂｗ…はカード１００の下面により押圧された状態となる。
【００４５】
この際、各係合変位部３ａｗ…，３ｂｗ…はカード１００の先端に当接し、この後、カード１００の下面に対して圧接した状態となるが、カード１００と各係合変位部３ａｗ…，３ｂｗ…間には、図５（ａ）に示すように、絶縁シート１１（実施形態シート）が介在した状態となるため、金属材等の導電性素材により形成されたカード１００が使用された場合であっても、各係合変位部３ａｗ…，３ｂｗ…とカード１００間における接触部位の電気的絶縁を確実に行うことができる。
【００４６】
したがって、金属材を含む他の各種素材により形成されたカード１００であっても、各接続コンタクト３ａ…及び３ｂ…の係合変位部３ａｗ…及び３ｂｗ…の表面を覆う電気的絶縁手段４を設けたため、各係合変位部３ａｗ…及び３ｂｗ…とカード１００間における接触部位の電気的絶縁を行うことができる。これにより、各接続コンタクト３ａ…及び３ｂ…における係合変位部３ａｗ…及び３ｂｗ…がカード１００に係合接触した場合であっても、各接続コンタクト３ａ…及び３ｂ…間が短絡状態になる虞れが無くなり、もって、カードコネクタ１の機能が不能になる問題を有効に解消することができる。
【００４７】
特に、使用した実施形態シートの場合、フィルム厚が０．０５〔ｍｍ〕の薄手タイプであり、しかも、強い接着力を有するため、ハウジング２の底板部２ｄの内面（上面）に貼付けた場合であっても、カード１００の進行及び退出を妨げるなどの不具合は生じない。したがって、プラスチック素材により形成された通常のカードであっても、いままで通りそのまま支障なく使用することができる。
【００４８】
一方、各接続コンタクト３ａ…及び３ｂ…は、中間支点部３ａｙ…，３ｂｙの…高さ位置が固定され、各係合変位部３ａｗ…，３ｂｗ…と各接続変位部３ａｘ…，３ｂｘ…は、シーソー式に支持されているため、各係合変位部３ａｗ…，３ｂｗ…がカード１００の下面に対して圧接する最挿入位置Ｘｉでは、各係合変位部３ａｗ…，３ｂｗ…が下方へ変位するため、各接続変位部３ａｘ…，３ｂｘ…は上方へ変位し、図１０及び図１２に示すように、カード１００に備える平面接続部１００ａ，１００ｂに当接（圧接）する。これにより、平面接続部１００ａ，１００ｂと各接続コンタクト３ａ…，３ｂ…間において、データの授受を行うことができる。
【００４９】
他方、カード１００をカードコネクタ１から抜取る場合には、そのままカード１００をカード出入口２１から引出せばよい。これにより、各係合変位部３ａｗ…，３ｂｗ…は、カード１００による係合が解除されるため、元の上方位置に弾性復帰するとともに、各接続変位部３ａｘ…，３ｂｘ…は下方変位し、各取付スリット２３ａ…，２３ｂ…の内部に収容される。したがって、カード１００の引出時においても、カード１００の外面に対する各接続コンタクト３ａ…，３ｂ…の当接（圧接）による擦れや汚れ等の不具合は回避される。
【００５０】
このように、本実施形態に係るカードコネクタ１は、カードを挿入可能なハウジング２と、このハウジング２の内部に、挿入されたカードに係合して変位可能な一端側に設けた係合変位部３ａｗ…，３ｂｗ…及びこの係合変位部３ａｗ…，３ｂｗ…の変位により、最挿入位置Ｘｉのカードに備える平面接続部に当接してデータの授受を可能にする接続変位部３ａｘ…，３ｂｘ…を有する弾性導電性素材により形成した複数の接続コンタクト３ａ…，３ｂ…を備える基本構成に加え、要部構成として、導電性を有するカード１００の挿入時に、各接続コンタクト３ａ…及び３ｂ…の係合変位部３ａｗ…及び３ｂｗ…の表面を覆うことにより、当該各係合変位部３ａｗ…及び３ｂｗ…とカード１００間における接触部位の電気的絶縁を行う電気的絶縁手段４を設けてなるため、各係合変位部３ａｗ…及び３ｂｗ…とカード１００間における接触部位の電気的絶縁を行うことができる。これにより、各接続コンタクト３ａ…及び３ｂ…における係合変位部３ａｗ…及び３ｂｗ…がカード１００に係合接触した場合であっても、各接続コンタクト３ａ…及び３ｂ…間が短絡状態になる虞れが無くなり、もって、カードコネクタ１の機能が不能になる問題を有効に解消することができる。
【００５１】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００５２】
例えば、実施形態では、電気的絶縁手段４として、一枚の絶縁シート１１を用いた場合を例示したが、このシートは単層であってもよいし、多層（或いは多数枚積層）であってもよい。また、小片に形成した複数の絶縁シートメンバを用意し、各接続コンタクト３ａ…，３ｂ…単位で個々に貼付ける形態であってもよいし、絶縁シートを袋状に形成し、各係合変位部３ａｗ…，３ｂｗ…を挿入（収容）する形態であってもよい。
【００５３】
さらに、電気的絶縁手段４を構成するに際し、図６（ｂ）に示すように、絶縁シート１１を設けることに加え、各係合変位部３ａｗ…，３ｂｗ…の表面に絶縁塗料をコーティングすることにより表面絶縁層３１を設けてもよい。これにより、万が一、絶縁シート１１に破損等が生じた場合であっても表面絶縁層３１による少なくとも一時的な絶縁が確保されるため、定期メンテナンス時に絶縁シート１１を交換するまでの一時期間における本来の機能を確保できる。もちろん、絶縁シート１１を使用することなく、表面絶縁層３１のみを用いる形態であってもよい
【００５４】
一方、絶縁シート１１の裏面に設ける接着層１２は、裏面における一部であってもよいし全部であってもよい。なお、絶縁シート１１としては、表面の動摩擦係数を０．３以下に選定したポリエチレンフィルムＲｐを用いることが望ましいが、この係数条件及び素材に限定されるものではない。また、絶縁シート１１を形成するに際し、絶縁本体面部１１ｍと複数の接着面部１１ａ…間における複数の角度形成部位の少なくとも一部１１ｒ…を、Ｒ形状に形成する場合を例示したが、適用する角度形成部位の位置及び数は任意であるとともに、必ずしも設けることを要しない。さらに、複数の接着面部１１ｃ…は、少なくとも一つ以上をハウジング２の外面２ｏまで回り込み可能な長さＬｓに選定する場合を例示したが、適用する接着面部１１ａ…の位置及び数は任意であるとともに、必ずしも設けることを要しない。
【００５５】
他方、接続コンタクト３ａ…，３ｂ…を構成するに際し、導電性素材を用いた細長いバネ材を使用し、このバネ材の一端側に形成した係合変位部３ａｗ…，３ｂｗ…と、バネ材の中間位置をＶ状に折曲して形成した中間支点部３ａｙ…，３ｂｙ…と、この中間支点部３ａｙ…，３ｂｙ…に対して他端側に形成した接続変位部３ａｘ…，３ｂｘ…と、この接続変位部３ａｘ…，３ｂｘ…から湾曲させることにより延出形成した接続端子部３ａｚ…，３ｂｚ…とを備えて構成する場合を例示したが、要は、少なくとも、挿入されたカードに係合して変位可能な一端側に設けた係合変位部３ａｗ…，３ｂｗ…及びこの係合変位部３ａｗ…，３ｂｗ…の変位により、最挿入位置Ｘｉのカードに備える平面接続部に当接してデータの授受を可能にする接続変位部３ａｘ…，３ｂｘ…を有すれば足り、他の各種形態により実施可能である。
【産業上の利用可能性】
【００５６】
本発明に係るカードコネクタは、金属材等の導電性を有する素材により形成されたＩＣカード等を含む各種カードに利用することができる。
【符号の説明】
【００５７】
１：カードコネクタ，２：ハウジング，２ｏ：ハウジングの外面，３ａ…：接続コンタクト，３ｂ…：接続コンタクト，３ａｗ…：係合変位部，３ｂｗ…：係合変位部，３ａｘ…：接続変位部，３ｂｘ…：接続変位部，３ａｙ…：中間支点部，３ｂｙ…：中間支点部，３ａｚ…：接続端子部，３ｂｚ…：接続端子部，４：電気的絶縁手段，１１：絶縁シート，１１ｍ：絶縁本体面部，１１ａ：接着面部，１１ｂ：接着面部，１１ｃ：接着面部，１１ｒ：角度形成部位，１２：接着層，１００：カード，Ｘｉ：最挿入位置，Ｒｐ：ポリエチレンフィルム，Ｌｓ：接着面部の長さ
【図１】
2019040835.tif 000003
【図２】
2019040835.tif 000004
【図３】
2019040835.tif 000005
【図４】
2019040835.tif 000006
【図５】
2019040835.tif 000007
【図６】
2019040835.tif 000008
【図７】
2019040835.tif 000009
【図８】
2019040835.tif 000010
【図９】
2019040835.tif 000011
【図１０】
2019040835.tif 000012
【図１１】
2019040835.tif 000013
【図１２】
2019040835.tif 000014